(57)【要約】【課題】表示部の前方に位置する物体により投影部の投影が遮断されることを回避することが可能な表示装置、表示方法およびプログラムを提供する。【解決手段】表示部と、前記表示部の表示面に直交する方向に対して交差する方向で、かつ前記表示面の後方を投影方向とする投影部と、を備える表示装置。画像を表示することと、前記画像の表示面に直交する方向に対して交差する方向で、かつ前記表示面の後方に画像を投影することと、を含む表示方法。【選択図】図１
2015099248.tif 000002
【特許請求の範囲】
【請求項１】
表示部と、
前記表示部の表示面に直交する方向に対して交差する方向で、かつ前記表示面の後方を投影方向とする投影部と、
を備える表示装置。
【請求項２】
据置き型の表示装置として用いられる、請求項１に記載の表示装置。
【請求項３】
前記表示部の表示画像と前記投影部の投影画像とを連動するように変化させる表示制御部をさらに備える、請求項１に記載の表示装置。
【請求項４】
前記表示制御部は、前記投影画像の少なくとも一部が、前記表示部に向かう方向に移動して消える場合に、前記表示画像および前記投影画像の各々の隣接部分の少なくとも一部の表示を変化させて、前記表示画像を消えた前記投影画像の少なくとも一部に関連する画像に切り替える、請求項３に記載の表示装置。
【請求項５】
前記表示制御部は、前記投影画像の少なくとも一部が、前記表示部に向かう方向に移動しながら部分的に消えた場合に、前記表示画像を前記投影画像の少なくとも一部に関連する画像に切り替える、請求項３に記載の表示装置。
【請求項６】
前記表示画像は、前記表示部が表示するコンテンツであり、
前記表示制御部は、前記表示部に表示されるコンテンツを切り替える場合に、前記表示部に向かう方向の反対方向に前記投影画像の一部が飛び出すように前記投影画像を変化させる、請求項３に記載の表示装置。
【請求項７】
前記表示画像および前記投影画像は、コンテンツであり、
前記表示制御部は、前記表示部に表示されていたコンテンツを前記投影部の投影画面に移動させながら、前記投影部により投影されていたコンテンツを前記表示部の表示画面に移動させる、請求項３に記載の表示装置。
【請求項８】
前記投影部の投影画像に、前記投影画像と前記表示部との一体化を想起させる表示効果を付与する表示制御部をさらに備える、請求項１に記載の表示装置。
【請求項９】
前記表示制御部は、前記表示部の表示内容に関連する画像が前記表示部と隣接するように前記投影画像を生成する、請求項８に記載の表示装置。
【請求項１０】
前記表示制御部は、前記表示部の表示内容に関連するテキストが、会話を想起させる画像に重畳されるように前記投影画像を生成する、請求項８に記載の表示装置。
【請求項１１】
前記表示部に対するユーザの視聴状況を判定する判定部をさらに備え、
前記表示制御部は、前記判定部によりユーザは前記表示部に対して視聴状態であると判定された場合、前記投影画像に対して前記表示部に近い底辺がもう一方の底辺よりも相対的に短い台形歪みを付与した前記投影画像を投影させる、請求項８に記載の表示装置。
【請求項１２】
前記表示制御部は、前記投影画像の一部を上下または左右に移動させながら前記投影部に投影させる、請求項８に記載の表示装置。
【請求項１３】
前記表示部のＧＵＩを前記投影部に投影させる表示制御部をさらに備える、請求項１に記載の表示装置。
【請求項１４】
前記表示制御部は、発生するイベント情報に基づいて前記ＧＵＩを前記投影部に投影させる、請求項１３に記載の表示装置。
【請求項１５】
音声出力部をさらに備え、
前記表示制御部が、前記ＧＵＩによる操作に基づいて前記表示部の表示を消す場合に、
前記音声出力部は、音声出力を継続し、
前記投影部は、前記音声出力に応じて変化する画像を投影する請求項１３に記載の表示装置。
【請求項１６】
前記表示部の表示内容に関連する情報に基づいて前記投影部の投影画像を変化させる表示制御部をさらに備える、請求項１に記載の表示装置。
【請求項１７】
前記表示制御部は、前記表示部に表示されるコンテンツのメタ情報に基づいて前記投影画像を変化させる、請求項１６に記載の表示装置。
【請求項１８】
前記表示制御部は、前記表示部に表示されるコンテンツの付随情報に基づいて前記投影画像を変化させる、請求項１６に記載の表示装置。
【請求項１９】
画像を表示することと、
前記画像の表示面に直交する方向に対して交差する方向で、かつ前記表示面の後方に画像を投影することと、
を含む表示方法。
【請求項２０】
画像を表示する表示機能と、
前記画像の表示面に直交する方向に対して交差する方向で、かつ前記表示面の後方に画像を投影する投影機能と、
をコンピュータに実現させるためのプログラム。
【発明の詳細な説明】
【技術分野】
【０００１】
本開示は、表示装置、表示方法およびプログラムに関する。
【背景技術】
【０００２】
近年、複数の表示装置の各々に画像を表示させ、表示された各々の画像を組み合わせて全体として１つの表示を行う製品およびソフトウェア等の開発が行われている。
【０００３】
例えば、非特許文献１では、液晶ディスプレイ等のディスプレイ装置で表示する画像の周囲の画像を、ディスプレイ装置の表示面の周りに、ディスプレイ装置の前方に設置されるプロジェクタで投影する製品が開示されている。
【先行技術文献】
【非特許文献】
【０００４】
【非特許文献１】“ＩｌｌｕｍｉＲｏｏｍ  Ｐｒｏｊｅｃｔｓ  Ｉｍａｇｅｓ  Ｂｅｙｏｎｄ  Ｙｏｕｒ  ＴＶ  ｆｏｒ  ａｎ  ＩｍｍｅｒｓｉｖｅＧａｍｉｎｇ Ｅｘｐｅｒｉｅｎｃｅ”、インターネット（ＵＲＬ：http://www.youtube.com/watch?v=re1EatGRV0w）
【発明の概要】
【発明が解決しようとする課題】
【０００５】
しかし、非特許文献１で開示された製品では、ディスプレイの前方にプロジェクタが設置されるため、ディスプレイとプロジェクタとの間を人が横切る等すると、プロジェクタの投影が遮られ、投影される画像が見えなくなることがある。
【０００６】
そこで、本開示は、表示部の前方に位置する物体により投影部の投影が遮断されることを回避することが可能な、新規かつ改良された表示装置、表示方法およびプログラムを提案する。
【課題を解決するための手段】
【０００７】
本開示によれば、表示部と、前記表示部の表示面に直交する方向に対して交差する方向で、かつ前記表示面の後方を投影方向とする投影部と、を備える表示装置が提供される。
【０００８】
また、本開示によれば、画像を表示することと、前記画像の表示面に直交する方向に対して交差する方向で、かつ前記表示面の後方に画像を投影することと、を含む表示方法が提供される。
【０００９】
また、本開示によれば、画像を表示する表示機能と、前記画像の表示面に直交する方向に対して交差する方向で、かつ前記表示面の後方に画像を投影する投影機能と、をコンピュータに実現させるためのプログラムが提供される。
【発明の効果】
【００１０】
以上説明したように本開示によれば、表示部の前方に位置する物体により投影部の投影が遮断されることを回避することが可能な表示装置、表示方法およびプログラムが提供される。
【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の一実施形態に係る表示装置の概要を説明するための図である。
【図２】本開示の第１の実施形態に係る表示装置の概略的な機能構成を示すブロック図である。
【図３】本開示の第１の実施形態における表示装置の表示画像および投影画像の各々の変化を示す図である。
【図４】本開示の第１の実施形態における表示装置の処理を概念的に示すフローチャートである。
【図５】本開示の第１の実施形態の第１の変形例における表示装置の表示画像および投影画像の各々の変化の例を示す図である。
【図６】本開示の第１の実施形態の第３の変形例における表示装置の表示画像および投影画像の各々の変化の例を示す図である。
【図７Ａ】本開示の第１の実施形態の第５の変形例における表示装置の表示部にのみ画像を表示している例を示す図である。
【図７Ｂ】本開示の第１の実施形態の第５の変形例における表示装置の表示画像と投影画像で１の画像を表示する例を示す図である。
【図８Ａ】本開示の第１の実施形態の第６の変形例における表示装置の投影部が表示部の表示するコンテンツの表示領域を拡大する例を示す図である。
【図８Ｂ】本開示の第１の実施形態の第６の変形例における表示装置の投影部が表示部の表示しているコンテンツの表示領域を拡大する他の例を示す図である。
【図９】本開示の第１の実施形態の第７の変形例における表示装置の画像が表示画像と投影画像を跨いで移動して消える例を示す図である。
【図１０Ａ】本開示の第２の実施形態に係る表示装置の投影画像上のコンテンツの投影位置の例を示す図である。
【図１０Ｂ】本開示の第２の実施形態に係る表示装置の投影画像上のコンテンツの投影位置の他の例を示す図である。
【図１１】本開示の第２の実施形態における表示装置の処理を概念的に示すフローチャートである。
【図１２Ａ】本開示の第２の実施形態の第１の変形例における表示装置のキャラクターが表示部の上に物理的に存在しているように投影される例を示す図である。
【図１２Ｂ】本開示の第２の実施形態の第１の変形例における表示装置のコンテンツが表示部の上に張り付いているように投影される例を示す図である。
【図１３】本開示の第２の実施形態の第２の変形例における表示装置のテキストの重畳された画像が投影される例を示す図である。
【図１４】本開示の第２の実施形態の第２の変形例における表示装置のイベント情報に基づいてテキストの重畳された画像が投影される例を示す図である。
【図１５】本開示の第２の実施形態の第２の変形例における表示装置のコンテンツ予約情報に基づくテキストの重畳された画像の投影処理を概念的に示すフローチャートである。
【図１６】本開示の第２の実施形態の第３の変形例における表示装置の表示画像と投影画像とで立体空間を生じさせる例を示す図である。
【図１７】本開示の第２の実施形態の第５の変形例における表示装置の表示部をデコレーションする例を示す図である。
【図１８】本開示の第３の実施形態における表示装置の投影部が投影するＧＵＩの操作により表示部の表示が変化する例を示す図である。
【図１９】本開示の第３の実施形態における表示装置の処理を概念的に示すフローチャートである。
【図２０】本開示の第３の実施形態の第１の変形例における表示装置のイベント情報に基づいてＧＵＩを投影させる例を示す図である。
【図２１】本開示の第３の実施形態の第２の変形例における表示装置の投影されるＧＵＩの操作による表示部の表示の変化の例を示す図である。
【図２２Ａ】本開示の第３の実施形態の第３の変形例における表示装置の投影されるＧＵＩの操作による表示部の表示の変化の例を示す図である。
【図２２Ｂ】本開示の第３の実施形態の第３の変形例における表示装置の投影されるＧＵＩの操作による投影部の投影画像の変化の例を示す図である。
【図２３】本開示の第４の実施形態における表示装置のコンテンツのメタ情報に基づく投影画像の変化の例を示す図である。
【図２４】本開示の第４の実施形態における表示装置のコンテンツのメタ情報に基づく投影画像の変化の他の例を示す図である。
【図２５】本開示の第４の実施形態における表示装置の処理を概念的に示すフローチャートである。
【図２６】本開示の第４の実施形態の第１の変形例における表示装置のコンテンツの付随情報に基づく投影画像の変化の例を示す図である。
【図２７Ａ】本開示の第４の実施形態の第２の変形例における表示装置の音声出力に応じた投影画像の変化の例を示す図である。
【図２７Ｂ】本開示の第４の実施形態の第２の変形例における表示装置の音声出力に応じた投影画像の変化の他の例を示す図である。
【図２８】本開示に係る表示装置１００のハードウェア構成を示した説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．本開示の一実施形態に係る表示装置の概要
２．本開示の第１の実施形態
２−１．本開示の第１の実施形態に係る表示装置の構成
２−２．本開示の第１の実施形態における表示装置の処理
２−３．本開示の第１の実施形態の変形例
３．本開示の第２の実施形態
３−１．本開示の第２の実施形態に係る表示装置の構成
３−２．本開示の第２の実施形態における表示装置の処理
３−３．本開示の第２の実施形態の変形例
４．本開示の第３の実施形態
４−１．第３の実施形態に係る表示装置の構成
４−２．第３の実施形態における表示装置の処理
４−３．本開示の第３の実施形態の変形例
５．本開示の第４の実施形態
５−１．本開示の第４の実施形態に係る表示装置の構成
５−２．本開示の第４の実施形態における表示装置の処理
５−３．本開示の第４の実施形態の変形例
６．本開示の一実施形態に係るハードウェア構成
７．むすび
【００１５】
＜１．本開示の一実施形態に係る表示装置の概要＞
まず、図１を参照して、本開示の一実施形態に係る表示装置の概要について説明する。図１は、本開示の一実施形態に係る表示装置の概要を説明するための図である。図１の左図は、表示装置１００の正面図であり、図１の右図は、表示装置１００の側面図である。
【００１６】
図１に示される表示装置１００は、表示部１１２および投影部１１４を備える据置型の表示装置である。表示装置１００は、表示部１１２にコンテンツが表示させ、投影部１１４にコンテンツを投影させる。このため、表示装置１００は、表示部１１２および投影部１１４にそれぞれ異なるコンテンツを表示および投影させることが可能である。さらに、表示装置１００は、表示部１１２の表示を操作するＧＵＩを投影部１１４に投影させる。このため、ユーザは表示部１１２の表示を視野に入れながら表示部１１２の表示を操作することが可能である。
【００１７】
例えば、図１の左図に示したように、表示装置１００は、表示部１１２に映像を表示させながら、投影部１１４にＧＵＩを表示部１１２の表示面の上後方に投影させることが可能である。そして、表示装置１００は、ユーザが投影されているＧＵＩのうちのｃ１をカーソルで選択すると、表示部１１２に映像Ｃ１を表示させることが可能である。
【００１８】
ここで、投影部１１４が表示部１１２の表示面の前方に配置されていた場合、投影部１１４と表示装置１００の間に位置する物体により投影部１１４の投影が遮断されることがある。そこで、表示装置１００は、表示部１１２の表示面に直交する方向に対して交差する方向で、かつ表示面の後方を投影方向とする投影部１１４を表示部１１２の表示面に対して反対側の位置に備える。
【００１９】
上記のように、表示装置１００は、表示部１１２と、表示部１１２の表示面と反対の位置に備えられ、表示部１１２の表示面に直交する方向に対して交差する方向で、かつ表示面の後方を投影方向とする投影部１１４とを備える。このため、表示装置１００の前方に位置する物体に投影光が遮られることなく投影を行うこと、および表示部１１２の表示を視聴するユーザに投影画面が表示部１１２に隣接しているように見せることが可能となる。
【００２０】
＜２．本開示の第１の実施形態＞
［２−１．本開示の第１の実施形態に係る表示装置の構成］
以上、本開示の一実施形態に係る表示装置１００の概要について説明した。次に、図２を参照して、本開示の第１の実施形態に係る表示装置１００の構成について説明する。図２は、本開示の第１の実施形態に係る表示装置１００の概略的な機能構成を示すブロック図である。なお、説明の便宜上、第１〜第４の実施形態による表示制御部１１０の各々を、表示制御部１１０−１〜表示制御部１１０−４のように、末尾に実施形態に対応する番号を付することにより区別する。
【００２１】
図２に示したように、表示装置１００は、受信部１０２、撮像部１０４、操作検知部１０６、記憶部１０８、表示制御部１１０−１、表示部１１２、および投影部１１４を備える。
【００２２】
受信部１０２は、コントローラ１０から送信される情報を受信する。コントローラ１０は、表示装置１００を操作するための装置である。具体的には、コントローラ１０は、表示装置１００の操作情報を送信し、受信部１０２は、コントローラ１０から送信された操作情報を受信する。例えば、コントローラ１０は、ポインティングデバイス等であり得る。また、通信手段としては、例えば、赤外線通信、Ｂｌｕｅｔｏｏｔｈ（登録商標）通信、またはＷｉＦｉ（登録商標）通信等が利用され得る。
【００２３】
撮像部１０４は、表示装置１００の周囲を撮像する。例えば、撮像部１０４は、表示装置１００の前方における所定の角度の範囲を撮像し、また異なる角度の範囲を複数撮像し得る。
【００２４】
操作検知部１０６は、受信部１０２から得られる操作情報、または撮像部１０４から得られる画像に基づいてユーザの操作を検知する。具体的には、操作検知部１０６は、ユーザの実際の動作を示す操作情報または撮像により得られた画像を解析することにより、表示装置１００に対する操作を検知する。例えば、受信部１０２から得られる操作情報は、ポインタの軌跡およびボタン押下等の情報であり、操作検知部１０６は、ポインタの軌跡から画面上の位置を把握し、ボタン押下から選択操作であることを把握し得る。そして、操作検知部１０６は、把握した位置における選択操作に対応する画面操作、例えば、コンテンツの変更操作が行われたことを検知し得る。また、例えば、操作検知部１０６は、撮像部１０４から得られる画像に対して顔認識処理を行い、認識された顔情報に基づいて行うべき操作を検知し得る。
【００２５】
記憶部１０８は、コンテンツおよびコンテンツに関連する情報を記憶する。例えば、コンテンツは映像、画像、音声等であり得る。なお、記憶部１０８に代えて、コンテンツを外部装置から取得する取得部、または有線もしくは無線通信を通じてコンテンツを取得する通信部を備えてもよい。
【００２６】
表示制御部１１０−１は、表示部１１２および投影部１１４を制御する。具体的には、操作検知部１０６の検知結果に基づいて表示部１１２の表示画像および投影部１１４の投影画像を連動するように変化させる。例えば、表示制御部１１０−１は、操作検知部１０６により投影画像における選択操作が検知されると、選択操作に係る投影画像の一部を表示部に向かう方向に移動させて投影画像上から消す。そして、表示制御部１１０−１は、表示画像および投影画像の各々の隣接部分にエフェクトを付与した後、表示部１１２の表示を選択操作に係るコンテンツに切り替える。さらに、図３を参照して詳細に説明する。図３は、本開示の第１の実施形態における表示装置１００の表示画像および投影画像の各々の変化を示す図である。
【００２７】
まず、表示制御部１１０−１は、表示部１１２にコンテンツを表示させ、投影部１１４にコンテンツを投影させる。例えば、図３の左図に示したように、表示制御部１１０−１は、表示部１１２に映像を表示させ、表示部１１２の表示面の上後方に表示部１１２に表示される映像に係るＧＵＩである画像ｃ１〜ｃ４を投影部１１４に投影させ得る。なお、ＧＵＩは、ＥＰＧ（Ｅｌｅｃｔｒｏｎｉｃ  Ｐｒｏｇｒａｍ  Ｇｕｉｄｅ）であり得る。
【００２８】
次に、表示制御部１１０−１は、操作検知部１０６が検知した操作に基づいて、投影されたコンテンツを表示部１１２に向かう方向に移動して消えるように投影画像を変化させる。例えば、図３の左図に示したように、表示制御部１１０−１は、投影されている画像ｃ４を表示部１１２に向かって移動させ、投影画像上から消し得る。
【００２９】
次に、表示制御部１１０−１は、投影画像および表示画像の各々の隣接部分にエフェクトを付与する。例えば、図３の中図に示したように、表示制御部１１０−１は、画像ｃ４を投影画像上から消した後、投影画像の下部および表示画像の表示面の上後方に同時にエフェクトを付与し得る。例えば、エフェクトは、色相、彩度、もしくは明度等の色の変化、画像の部分的な形状変化、または追加画像の重畳表示等であり得る。
【００３０】
なお、エフェクトは、投影画像、表示画像の順に付与されてもよい。これにより、投影画像の変化に基づいて表示画像が変化したことをユーザが直観的に理解することが可能となる。また、エフェクトは、投影画像および表示画像の隣接部分の一部のみに付与されてもよい。例えば、表示制御部１１０−１は、投影画像および表示画像の隣接部分のうちの上記の画像ｃ４の軌跡と重複する部分のみにエフェクトを付与し得る。このため、投影画像が変化した部分に基づいて表示画像が変化したことをユーザが直観的に理解することが可能となる。
【００３１】
次に、表示制御部１１０−１は、表示部１１２の表示を消されたコンテンツに係るコンテンツに切り替える。例えば、図３の右図に示したように、表示制御部１１０−１は、付与したエフェクトを投影画像および表示画像から除去し、表示部１１２の表示を画像ｃ４に係る映像Ｃ４に切り替える。
【００３２】
ここで図２を参照して表示装置１００の構成の説明に戻ると、表示部１１２は、表示制御部１１０−１による制御に基づいてコンテンツの表示を行う。
【００３３】
投影部１１４は、表示制御部１１０−１による制御に基づいてコンテンツの投影を行う。なお、投影部１１４は、表示装置１００に複数備えられてもよい。
【００３４】
［２−２．本開示の第１の実施形態における表示装置の処理］
次に、図４を参照して、本開示の第１の実施形態における表示装置１００の処理について説明する。図４は、本開示の第１の実施形態における表示装置１００の処理を概念的に示すフローチャートである。
【００３５】
まず、表示装置１００は、操作検知部１０６により投影画像におけるコンテンツに係る画像の選択操作が検知されるまで待機する（ステップＳ２０２）。具体的には、受信部１０２がユーザの操作するコントローラ１０より操作情報を受信した後、操作検知部１０６は、受信部１０２の受信した操作情報に基づいて、ユーザのコントローラ１０の操作に対応する表示装置１００の操作を検知する。
【００３６】
ステップＳ２０２にて、操作検知部１０６により、ユーザの操作が投影画像におけるコンテンツに係る画像の選択操作であると検知された場合、表示制御部１１０−１は、選択された画像を表示部に向かって移動させて投影画像上から消す（ステップＳ２０４）。
【００３７】
次に、表示制御部１１０−１は、投影画像の表示部との隣接部分にエフェクトを付与する（ステップＳ２０６）。続いて、表示制御部１１０−１は、表示画像の投影画像に近い部分にエフェクトを付与する（ステップＳ２０８）。なお、エフェクトの付与処理については、上述の説明と重複するため省略する。
【００３８】
次に、表示制御部１１０−１は、表示部１１２の表示を投影画像上から消された画像に関連するコンテンツに切り替える（ステップＳ２１０）。
【００３９】
このように、本開示の第１の実施形態によれば、表示装置１００は、投影画像の一部が、表示部１１２に向かう方向に移動して消える場合に、表示画像および投影画像の各々の隣接部分の一部の表示を変化させて、表示部１１２の表示を消えた投影画像の一部に関連するコンテンツに切り替える。このように、投影画像および表示画像の各々の隣接部分の表示を変化させることにより、ユーザは消えた投影画像の一部が表示部１１２の表示の変化に関連していることを直観的に理解することが可能となる。
【００４０】
［２−３．本開示の第１の実施形態の変形例］
以上、本開示の第１の実施形態について説明した。なお、本実施形態は、上述の例に限定されない。以下に、本実施形態の第１〜第７の変形例について説明する。
【００４１】
（第１の変形例）
本実施形態の第１の変形例として、表示制御部１１０−１は、投影画像の一部を、表示部１１２に向かう方向に移動させながら部分的に消した後、表示部１１２の表示を投影画像の一部に関連するコンテンツに切り替えてもよい。具体的には、図５を参照して説明する。図５は、本開示の第１の実施形態の第１の変形例における表示装置１００の表示画像および投影画像の各々の変化の例を示す図である。
【００４２】
まず、表示制御部１１０−１は、表示部１１２にコンテンツを表示させ、投影部１１４にコンテンツを投影させる。例えば、図５の左図に示したように、表示制御部１１０−１は、表示部１１２に映像を表示させ、表示部１１２の表示面の上後方に表示部１１２に表示される映像のＧＵＩである画像ｃ１〜ｃ４を投影部１１４に投影させ得る。
【００４３】
次に、操作検知部１０６が検知したユーザ操作に基づいて、表示制御部１１０−１は、投影されているコンテンツを表示部１１２に向かって移動させながら部分的に消えるように投影画像を変化させる。例えば、図５の左図に示したように、ユーザが投影される画像ｃ２を選択すると、操作検知部１０６は、画像ｃ２を選択する操作を検知し得る。次に、図５の右図に示したように、表示制御部１１０−１は、操作検知部１０６が検知した操作に基づいて画像ｃ２を表示部１１２に向かって移動させながら、移動に応じて画像ｃ２の下側を投影画像上から消えるように投影画像を変化させ得る。そして、表示制御部１１０−１は、画像ｃ２を所定の移動量だけ移動させると、上述の投影画像の変化を終了し得る。
【００４４】
次に、表示制御部１１０−１は、表示部１１２の表示を投影されている変化されたコンテンツに係るコンテンツに切り替える。例えば、図５の右図に示したように、表示制御部１１０−１は、表示部１１２の表示を画像ｃ２に係る映像Ｃ２に切り替える。
【００４５】
このように、表示制御部１１０−１は、投影画像においてコンテンツのＧＵＩを、表示部１１２に向かう方向に移動させながら部分的に消した後、表示部１１２の表示を当該ＧＵＩに係るコンテンツに切り替える。このため、投影画像上のＧＵＩを部分的に消して表示部１１２の表示を切り替えることにより、ユーザは投影画像上の部分的に消されたＧＵＩに係るコンテンツが表示部１１２に表示されたことを直観的に理解することが可能となる。
【００４６】
（第２の変形例）
本実施形態の第２の変形例として、表示制御部１１０−１は、表示部１１２に表示されるコンテンツを切り替える場合に、表示部１１２に向かう方向の反対方向に投影画像の一部が飛び出すように投影画像を変化させてもよい。例えば、表示制御部１１０−１は、操作検知部１０６がコンテンツ切り替え操作を検知すると、表示部１１２に表示されているコンテンツを操作に基づくコンテンツに切り替え得る。そして、表示制御部１１０−１は、表示部１１２に表示されていたコンテンツに係る画像が表示部１１２から投影画像に飛び出してきたように投影画像を変化させ得る。
【００４７】
このように、表示制御部１１０−１は、表示部１１２に表示されるコンテンツの切り替えとともに、表示部１１２から投影画像の一部を飛び出でてきたように投影画像を変化させる。このため、表示部１１２の表示の切り替えに合わせて投影画像に表示部１１２からの画像の飛出し効果を与えることにより、ユーザは飛出した画像が表示部１１２に表示されていたコンテンツに係る画像であることを直観的に理解することが可能となる。
【００４８】
（第３の変形例）
本実施形態の第３の変形例として、表示制御部１１０−１は、表示部１１２に表示されていたコンテンツを投影部１１４の投影画面に移動させながら、投影部１１４により投影されていたコンテンツを表示部１１２の表示画面に移動させてもよい。具体的には、図６を参照して説明する。図６は、本開示の第１の実施形態の第３の変形例における表示装置１００の表示画像および投影画像の各々の変化の例を示す図である。
【００４９】
まず、表示制御部１１０−１は、表示部１１２にコンテンツを表示させ、投影部１１４にコンテンツを投影させる。例えば、図６の左図に示したように、表示制御部１１０−１は、表示部１１２に映像Ｃ２を表示させ、表示部１１２の表示面の上後方に映像Ｃ１を投影部１１４に投影させ得る。
【００５０】
次に、操作検知部１０６が検知したユーザ操作に基づいて、表示制御部１１０−１は、表示部１１２に表示されていたコンテンツを投影部１１４の投影画面に移動させながら、投影部１１４により投影されていたコンテンツを表示部１１２の表示画面に移動させる。例えば、図６の中図に示したように、表示制御部１１０−１は、操作検知部１０６がコンテンツ入れ替え操作を検知すると、投影部１１４により投影されていた映像Ｃ１を投影画面の上部に移動させながら、表示部１１２に表示されていた映像Ｃ２を投影画面の下部より移動させて投影させ得る。同時に、表示制御部１１０−１は、表示部１１２に表示されていた映像Ｃ２を表示画面の上部に移動させながら、投影部１１４により投影されていた映像Ｃ１の一部を表示画面の下部より移動させて表示させ得る。
【００５１】
次に、表示制御部１１０−１は、コンテンツの移動が完了すると、コンテンツの入れ替え処理を終了する。例えば、図６の左図に示したように、映像Ｃ１の全体が表示部１１２の表示画面に移動し、映像Ｃ２の全体が投影部の投影画面に移動すると、表示制御部１１０−１は、コンテンツの入れ替え処理を終了し得る。
【００５２】
このように、表示制御部１１０−１は、表示部１１２に表示されていたコンテンツを投影部１１４の投影画面に移動させながら、投影部１１４により投影されていたコンテンツを表示部１１２の表示画面に移動させる。このため、コンテンツを表示画面および投影画面を跨いで移動させることにより、ユーザに表示画面および投影画面を連続した１の画面であるように見せることが可能である。
【００５３】
なお、表示制御部１１０−１は、移動させるコンテンツを再生したままの状態で移動させてもよい。このため、コンテンツの入れ替え中に再生が中断されることがなく、ユーザはコンテンツを見逃すことなくコンテンツを入れ替えることが可能となる。
【００５４】
（第４の変形例）
本実施形態の第４の変形例として、表示制御部１１０−１は、投影画像と表示画像を跨ぐようにＧＵＩを移動させてもよい。例えば、表示制御部１１０−１は、ユーザ操作に応じて投影画像上のＧＵＩを表示部１１２に向かって移動させて投影画像上から消すとともに、ＧＵＩの投影画像上で消えた位置と対応する表示画像の位置にＧＵＩを表示させ得る。
【００５５】
このように、表示制御部１１０−１が投影画像と表示画像とを対応させてＧＵＩを移動させることにより、ＧＵＩを切り替えることなく投影画像および表示画像の操作が可能となる。
【００５６】
（第５の変形例）
本実施形態の第５の変形例として、表示制御部１１０−１は、投影画像と表示画像とを組み合わせて１つのコンテンツを拡大表示させてもよい。具体的には、表示制御部１１０−１は、投影部１１４にコンテンツの一部を投影させ、表示部１１２に残りのコンテンツの部分を表示させる。より具体的には、図７Ａおよび図７Ｂを参照して説明する。図７Ａは、本開示の第１の実施形態の第５の変形例における表示装置１００の表示部１１２にのみ画像を表示している例を示す図である。図７Ｂは、本開示の第１の実施形態の第５の変形例における表示装置１００の表示画像と投影画像で１の画像を表示する例を示す図である。
【００５７】
図７Ａに示したように、例えば、水平方向よりも垂直方向の方が長い縦長の画像が表示部１１２に表示され得る。この場合、表示部１１２には画像が表示されない余白部分が生じる。そこで、表示制御部１１０−１は、投影画像と表示画像とを組み合わせて１つのコンテンツを拡大表示する。例えば、図７Ｂに示したように、表示制御部１１０−１は、投影部１１４に縦長の画像の上部を投影画像全体で投影させ、表示部１１２に画像の残りの下部を表示画像全体で表示させ得る。このため、表示部１１２の余白部分を削減することが可能となる。
【００５８】
なお、上記の例では投影部１１４が表示部１１２の表示面の上後方に投影画像を投影し、縦長の画像を拡大表示する旨を説明したが、投影部１１４は、表示部１１２の表示面の左後方、および右後方のどちらかまたは両方に投影画像を投影し、横長の画像を拡大表示してもよい。
【００５９】
このように、表示制御部１１０−１は、投影部１１４および表示部１１２にコンテンツを分割して投影および表示させることにより、コンテンツの表示領域が拡大され、ユーザの視認性を向上させることが可能となる。
【００６０】
（第６の変形例）
本実施形態の第６の変形例として、表示制御部１１０−１は、投影画像と表示画像とを組み合わせてコンテンツの表示領域を拡大させてもよい。具体的には、図８Ａおよび図８Ｂを参照して説明する。図８Ａは、本開示の第１の実施形態の第６の変形例における表示装置１００の投影部１１４が表示部１１２の表示するコンテンツの表示領域を拡大する例を示す図である。図８Ｂは、本開示の第１の実施形態の第６の変形例における表示装置１００の投影部１１４が表示部１１２の表示しているコンテンツの表示領域を拡大する他の例を示す図である。
【００６１】
表示制御部１１０−１は、投影部１１４が表示部１１２の表示面の左後方および右後方に投影可能な場合は、ユーザの操作に基づいてまたは自動的に、表示部１１２に表示されている画像の画像リスト上の前後の画像を表示部１１２の表示面の左後方および右後方に投影させてもよい。例えば、図８Ａに示したように、表示制御部１１０−１は、表示部１１２に画像Ｐ２が表示されている場合、表示部１１２の表示面の左後方に画像Ｐ１を投影させ、表示部１１２の表示面の右後方に画像Ｐ３を投影させ得る。
【００６２】
また、表示制御部１１０−１は、投影部１１４が表示部１１２の表示面の左後方および右後方に投影可能な場合は、ユーザの操作に基づいてまたは自動的に、表示部１１２に表示されているサムネイルリストを表示部１１２の表示面の左後方および右後方に拡張して投影させてもよい。例えば、図８Ｂに示したように、表示制御部１１０−１は、表示部１１２に画像のサムネイルｐ３〜ｐ５が表示されている場合、表示部１１２の表示面の左後方にサムネイルｐ１、ｐ２を投影させ、表示部１１２の表示面の右後方にサムネイルｐ６、ｐ７を投影させ得る。
【００６３】
このように、表示制御部１１０−１は、投影画像と表示画像にわたって１のコンテンツを表示させることにより、コンテンツの表示量を増加させ、ユーザは一度に多くの情報を閲覧することが可能となる。
【００６４】
（第７の変形例）
本実施形態の第７の変形例として、表示制御部１１０−１は、表示画像および投影画像を跨いで画像を移動させながら、画像の表示を変更して消すように表示画像および投影画像を変化させてもよい。具体的には、図９を参照して説明する。図９は、本開示の第１の実施形態の第７の変形例における表示装置１００の画像が表示画像と投影画像を跨いで移動して消える例を示す図である。
【００６５】
表示制御部１１０−１は、所定の処理が行われると、当該処理に関する画像を表示部１１２に表示させ、投影画像に向かって移動させる。例えば、図９の左図に示したように、メールを送信する処理が行われると、表示制御部１１０−１は、封筒の画像を表示部１１２に表示させ、表示部１１２に表示させた封筒の画像を投影部１１４の投影画像に向かう方向に移動させ得る。
【００６６】
次に、移動させている当該画像が表示部１１２の上端に達すると、表示制御部１１０−１は、表示画像上の当該画像の位置に対応する投影画像の位置に当該画像を表示させ、移動させてきた方向に当該画像を継続して移動させる。例えば、表示制御部１１０−１は、封筒の画像を表示画像と投影画像がひとつなぎの画像であるかのように移動させる。
【００６７】
また、表示制御部１１０−１は、移動させる画像の移動距離に応じて、当該画像の表示を変化させる。例えば、図９の中図に示したように、表示制御部１１０−１は、移動に合わせて封筒の画像の表示を薄くさせ得る。なお、表示制御部１１０−１は、移動に合わせて封筒の画像の透明度またはボケ具合を変化させてもよい。
【００６８】
そして、表示制御部１１０−１は、当該画像を所定の距離まで移動させた後、当該画像を投影画像上から消す。例えば、図９の左図に示したように、表示制御部１１０−１は、封筒の画像を投影画像の上端まで移動させた後、当該画像を投影画像上から消し得る。
【００６９】
このように、表示制御部１１０−１は、表示画像および投影画像を跨いで画像を移動させ、移動に応じて画像の表示を変更して消すように表示画像および投影画像を変化させる。このため、表示画像での変化を引き継いで表示画像から投影画像に移動させる画像を変化させることにより、表示画像と投影画像とが一体的であるようにユーザに認識させることが可能となる。
【００７０】
＜３．本開示の第２の実施形態＞
［３−１．本開示の第２の実施形態に係る表示装置の構成］
次に、本開示の第２の実施形態に係る表示装置１００の構成について説明する。なお、第１の実施形態に係る表示装置１００の構成と実質的に同一である構成については説明を省略する。なお、表示制御部１１０−２は、本開示の第２の実施形態に係る表示制御部１１０である。
【００７１】
表示制御部１１０−２は、投影部１１４の投影画像に、投影画像と表示部１１２との一体化を想起させる表示効果を付与する。具体的には、表示制御部１１０−２は、表示部１１２の表示内容に関連するコンテンツが表示部１１２と隣接するように投影画像を生成する。例えば、表示制御部１１０−２は、投影部１１４に投影させるコンテンツが表示部１１２に表示しているコンテンツと関連があるかの判定を行い、関連があると判定した場合に、関連があると判定されたコンテンツを、投影画像の表示部１１２と隣接する位置に投影させる。さらに、図１０Ａおよび図１０Ｂを参照して詳細に説明する。図１０Ａは、本開示の第２の実施形態に係る表示装置１００の投影画像上のコンテンツの投影位置の例を示す図である。図１０Ｂは、本開示の第２の実施形態に係る表示装置１００の投影画像上のコンテンツの投影位置の他の例を示す図である。
【００７２】
まず、表示制御部１１０−２は、投影部１１４に投影させるコンテンツを取得し、表示部１１２に表示されているコンテンツと関連性があるかの判定を行う。そして、関連性があると判定された場合、表示制御部１１０−２は、表示部１１２に近接する投影画像の位置にコンテンツが位置する投影画像を生成し、投影部１１４に生成した画像を投影させる。例えば、図１０Ａに示したように、表示制御部１１０−２は、ＧＵＩであるｃ１を取得し、表示部１１２に表示されている映像Ｃ１と関連性があるかの判定を行い、関連性があると判定し得る。そして、表示制御部１１０−２は、表示部１１２との近接部分である投影画像の下部にｃ１が位置する投影画像を生成し、投影部１１４に生成した画像を投影させ得る。
【００７３】
これに対し、取得したコンテンツは表示部１１２に表示されているコンテンツと関連性がないと判定された場合、表示制御部１１０−２は、表示部１１２に近接する位置から遠い投影画像の位置にコンテンツが位置する投影画像を生成し、投影部１１４に生成した画像を投影させる。例えば、図１０Ｂに示したように、表示制御部１１０−２は、ＧＵＩであるｃ２を取得し、表示部１１２に表示されている映像Ｃ１と関連性があるかの判定を行い、関連性がないと判定し得る。そして、表示制御部１１０−２は、表示部１１２との近接部分から遠い位置である投影画像の中央部にｃ２が位置する投影画像を生成し、投影部１１４に生成した画像を投影させ得る。
【００７４】
なお、表示部１１２に表示されるコンテンツとの関連性の判定については、コンテンツにパッケージングされている情報、コンテンツのメタ情報、またはコンテンツのメタ情報に基づいてインターネットから取得する情報等が利用されてもよい。例えば、表示部１１２に表示されるコンテンツが地上波デジタル放送の番組であり、投影部１１４に投影するコンテンツが当該番組のメタ情報に含まれる番組タイトルである場合、表示制御部１１０−２は、関連性があると判定し得る。
【００７５】
［３−２．本開示の第２の実施形態における表示装置の処理］
次に、図１１を参照して、本開示の第２の実施形態における表示装置１００の処理について説明する。図１１は、本開示の第２の実施形態における表示装置１００の処理を概念的に示すフローチャートである。
【００７６】
まず、表示制御部１１０−２は、投影部１１４に投影させるコンテンツを取得する（ステップＳ３０２）。具体的には、表示制御部１１０−２は、記憶部１０８から投影部１１４に投影させるコンテンツを取得する。
【００７７】
次に、表示制御部１１０−２は、取得したコンテンツと表示コンテンツに関連があるかの判定を行う（ステップＳ３０４）。具体的には、表示制御部１１０−２は、取得したコンテンツに係る情報と表示部１１２に表示しているコンテンツに係る情報との関連性を判定する。なお、関連性の判定処理については、上述の説明と重複するため説明を省略する。
【００７８】
ステップＳ３０４にて、取得したコンテンツと表示コンテンツに関連があると判定された場合、表示制御部１１０−２は、取得したコンテンツを投影画像における表示部１１２に近接する部分に投影する（ステップＳ３０６）。
【００７９】
ステップＳ３０４にて、取得したコンテンツと表示コンテンツに関連がないと判定された場合、表示制御部１１０−２は、取得したコンテンツを投影画像における表示部１１２に近接する部分よりも表示部１１２から遠い投影画像上の位置に投影する（ステップＳ３０８）。
【００８０】
このように、本開示の第２の実施形態によれば、表示装置１００は、表示部１１２に表示されるコンテンツに関連するコンテンツが表示部１１２と隣接するように投影画像を生成する。このため、関連性のあるコンテンツ同士が近くに表示されることにより、ユーザは隣接するコンテンツには関連があることを直観的に理解することが可能となる。
【００８１】
［３−３．本開示の第２の実施形態の変形例］
以上、本開示の第２の実施形態について説明した。なお、本実施形態は、上述の例に限定されない。以下に、本実施形態の第１〜第５の変形例について説明する。
【００８２】
（第１の変形例）
本実施形態の第１の変形例として、表示制御部１１０−２は、投影部１１４に投影させるキャラクターを示す画像が表示部１１２の上に物理的に存在しているように見える投影画像を生成してもよい。具体的には、図１２Ａを参照して説明する。図１２Ａは、本開示の第２の実施形態の第１の変形例における表示装置１００のキャラクターが表示部１１２の上に物理的に存在しているように投影される例を示す図である。
【００８３】
まず、表示制御部１１０−２は、投影部１１４に投影させる画像を取得する。例えば、図１２Ａに示したように、表示制御部１１０−２は、猫の画像を取得する。
【００８４】
次に、表示制御部１１０−２は、投影部１１４の投影画面の表示部１１２の表示画面に対する位置を判断し、投影画像の表示部１１２との近接部分に取得した画像が位置する投影画像を生成し、投影部１１４に生成した画像を投影させる。例えば、図１２Ａに示したように、表示制御部１１０−２は、表示部１１２の表示面の上後方に投影画面があると判断し、表示部１１２に近接する部分に猫の画像が位置する投影画像を生成して、投影部１１４に生成した画像を投影させる。
【００８５】
なお、表示制御部１１０−２は、投影部１１４に投影させる画像の格納場所を示す情報を取得し、投影部１１４の投影画面の表示部１１２の表示画面に対する位置に応じて、投影部１１４に投影させるキャラクター画像を当該格納場所から取得してもよい。例えば、表示制御部１１０−２は、表示部１１２に表示させているコンテンツの当該コンテンツに関連する画像の格納場所を示すＵＲＬ等のメタ情報を取得し得る。次に、投影部１１４の投影画面の表示部１１２の表示画面に対する位置が表示面の上後方であれば、表示制御部１１０−２は、座り姿のキャラクターの画像をＵＲＬの示す場所から取得する。または、当該位置が表示部１１２の表示面の左後方または右後方であれば、表示制御部１１０−２は、立ち姿のキャラクターの画像をＵＲＬの示す場所から取得し得る。そして、表示制御部１１０−２は、取得したキャラクターの画像が投影部１１４に表示部１１２と近接する部分に位置する投影画像を生成し、投影部１１４に生成した画像を投影させ得る。
【００８６】
このように、表示制御部１１０−２は、投影部１１４に投影させるキャラクター画像が表示部１１２と近接する部分に位置する投影画像を生成する。このため、キャラクター画像を表示部１１２と近接する部分に投影させることにより、ユーザにキャラクターが表示部１１２の周りに存在しているように見せることが可能となる。
【００８７】
また、本実施形態では、表示制御部１１０−２は、投影部１１４に投影させるコンテンツが表示部１１２に張り付いているように見える投影画像を生成してもよい。具体的には、図１２Ｂを参照して説明する。図１２Ｂは、本開示の第２の実施形態の第１の変形例における表示装置１００のコンテンツが表示部１１２の上に張り付いているように投影される例を示す図である。
【００８８】
まず、表示制御部１１０−２は、投影部１１４に投影させるコンテンツを取得する。例えば、図１２Ｂに示したように、表示制御部１１０−２は、サッカーの試合の観覧席の映像を取得する。
【００８９】
次に、表示制御部１１０−２は、投影部１１４の投影画面の表示部１１２の表示画面に対する位置を判断し、取得したコンテンツが表示部１１２に張り付いているように見える投影画像を生成し、投影部１１４に生成した画像を投影させる。例えば、図１２Ｂに示したように、表示制御部１１０−２は、投影部１１４の投影画面の表示部１１２の表示画面に対する位置を判断し、表示部１１２の上に投影画面があると判断し得る。そして、表示制御部１１０−２は、表示部１１２に近接する部分に、表示部１１２に向かう方向に押しつぶした様に変形させた観覧席の映像が位置する投影画像を生成し、投影部１１４に生成した画像を投影させ得る。
【００９０】
このように、表示制御部１１０−２は、投影部１１４に投影させるコンテンツが表示部１１２に近接する部分に表示部１１２に向かう方向に変形させたコンテンツが位置する投影画像を生成する。このため、表示部１１２の表示するコンテンツおよび投影部１１４の投影するコンテンツが一体化されて表示されることにより、ユーザに臨場感を生じさせることが可能となる。
【００９１】
（第２の変形例）
本実施形態の第２の変形例として、表示制御部１１０−２は、表示部１１２の表示内容に関連するテキストが、会話を想起させる画像に重畳されるように投影画像を生成してもよい。具体的には、図１３を参照して説明する。図１３は、本開示の第２の実施形態の第２の変形例における表示装置１００のテキストの重畳された画像が投影される例を示す図である。
【００９２】
まず、表示制御部１１０−２は、表示部１１２の電源が切れた状態で、投影部１１４に投影を行わせる。例えば、図１３に示したように、表示制御部１１０−２は、表示部１１２の電源が切れた状態で、投影部１１４に投影を行わせ得る。
【００９３】
次に、表示制御部１１０−２は、投影部１１４に投影させるテキスト情報を取得する。例えば、表示制御部１１０−２は、図１３に示すようなテキスト情報を記憶部１０８から取得し得る。なお、テキスト情報は、ネットワークを通じて表示装置の外部から取得されてもよい。
【００９４】
次に、表示制御部１１０−２は、テキスト情報を、会話を想起させる画像に重畳した投影画像を生成し、投影部１１４に生成した画像を投影させる。例えば、図１３に示したように、表示制御部１１０−２は、取得したテキスト情報を吹き出し画像に重畳した投影画像を生成し、投影部１１４に生成した画像を投影させ得る。なお、上記の例では、表示部１１２の電源が切れた状態で説明したが、表示制御部１１０−２は、表示部１１２の電源が入った状態で、表示部１１２がコンテンツを表示している場合にも、上記の処理を行ってもよい。
【００９５】
このように、表示制御部１１０−２は、会話を想起させる画像にテキストを重畳した投影画像を生成し、投影部１１４に生成した画像を投影させる。このため、会話を想起させる画像にテキストを重畳させて表示部１１２が擬人化されることにより、ユーザに表示部１１２に対する親近感を持たせることが可能となる。
【００９６】
また、表示制御部１１０−２は、表示装置１００の内蔵するソフトウェアまたは装置等から得られる情報に基づいて会話を想起させる画像にテキストが重畳された投影画像を生成してもよい。具体的には、図１４を参照して説明する。図１４は、本開示の第２の実施形態の第２の変形例における表示装置１００のイベント情報に基づいてテキストの重畳された画像が投影される例を示す図である。
【００９７】
まず、表示制御部１１０−２は、表示部１１２の電源が切れた状態で、投影部１１４に投影を行わせる。例えば、図１４の左図に示したように、表示制御部１１０−２は、表示部１１２の電源が切れた状態で、投影部１１４に投影を行わせ得る。
【００９８】
次に、表示制御部１１０−２は、表示装置１００の内蔵するソフトウェア等から情報を取得する。例えば、ソフトウェア等はコンテンツ予約プログラム等であり、取得した情報はコンテンツ予約情報であり得る。
【００９９】
次に、表示制御部１１０−２は、取得した情報に基づいて投影部１１４に投影する画像を生成し、投影部１１４に生成した画像を投影させる。例えば、図１４の左図に示したように表示制御部１１０−２は、取得したコンテンツ予約情報に基づいて予約されたコンテンツの開始時間が近づいている旨のテキストを含む画像を生成し、投影部１１４に生成した画像を投影させ得る。
【０１００】
次に、表示制御部１１０−２は、取得した情報に基づいて表示部１１２の電源を入れ、表示部１１２に取得した情報に係るコンテンツを表示させる。例えば、図１４の右図に示したように、表示制御部１１０−２は、予約情報に含まれるコンテンツ開始時刻と現在時刻とのマッチングを行い、現在時刻がコンテンツ開始時刻であれば、表示部１１２の電源を入れ、表示部１１２に予約されていたコンテンツを表示させ得る。さらに、本変形例における表示装置１００の処理について図１５を参照して説明する。図１５は、本開示の第２の実施形態の第２の変形例における表示装置１００のコンテンツ予約情報に基づくテキストの重畳された画像の投影処理を概念的に示すフローチャートである。
【０１０１】
まず、表示制御部１１０−２は、予約情報を取得する（ステップＳ５０２）。例えば、表示制御部１１０−２は、表示装置１００に内蔵されるコンテンツ予約プログラム等からコンテンツの予約情報を取得し得る。
【０１０２】
次に、表示制御部１１０−２は、現在時刻を取得する（ステップＳ５０４）。
【０１０３】
次に、表示制御部１１０−２は、現在時刻が予約時刻の１５分前であるか否かの判定を行う（ステップＳ５０６）。
【０１０４】
ステップＳ５０６にて、現在時刻が予約時刻の１５分前であると判定された場合、表示制御部１１０−２は、投影画像の表示部１１２との隣接部分にエフェクトを付与する（ステップＳ５０８）。なお、エフェクトの付与処理については、第１の実施形態のエフェクトの付与処理と実質的に同一であるため、詳細な説明は省略する。
【０１０５】
次に、表示制御部１１０−２は、予約情報をテキストで投影させる（ステップＳ５１０）。具体的には、表示制御部１１０−２は、取得した予約情報に含まれるテキストを投影画像として投影部１１４に投影させる。なお、投影するテキストは、取得した予約情報が示す場所に格納されていてもよい。例えば、予約情報はＵＲＬを示し、表示制御部１１０−２は、当該ＵＲＬの示す場所からテキストを取得し得る。
【０１０６】
次に、表示制御部１１０−２は、予約時刻が現在時刻であるかの判定を行う（ステップＳ５１２）。
【０１０７】
ステップＳ５１２にて、予約時刻が現在時刻であると判定された場合、表示制御部１１０−２は、表示部１１２の電源が入っているかの判定を行う（ステップＳ５１４）。
【０１０８】
ステップＳ５１４にて、表示部１１２の電源が入っていると判定された場合、表示制御部１１０−２は、予約対象のコンテンツに表示を切り替える（ステップＳ５１６）。具体的には、表示制御部１１０−２は、取得した予約情報から予約対象のコンテンツを特定し、表示部１１２の表示を特定したコンテンツに切り替える。
【０１０９】
ステップＳ５１４にて、表示部１１２の電源が入っていないと判定された場合、表示制御部１１０−２は、表示部１１２の電源を入れ（ステップＳ５１８）、予約対象のコンテンツを表示させる（ステップＳ５２０）。
【０１１０】
このように、表示制御部１１０−２は、表示装置１００の内蔵するソフトウェア等から得られる情報に基づいて会話を想起させる画像にテキストが重畳された投影画像を生成し、投影部１１４に生成した画像を投影させる。このため、自動的に他のソフトウェア等から得られるテキストが投影されることにより、表示装置１００をユーザへの伝達装置として利用することが可能となる。
【０１１１】
（第３の変形例）
本実施形態の第３の変形例として、表示制御部１１０−２は、投影画像を傾けたように投影させて表示画像と投影画像とで立体空間を生じさせてもよい。具体的には、表示装置１００は、表示部１１２に対するユーザの視聴状況を判定する判定部１１６をさらに備え、表示制御部１１０−２は、判定部１１６によりユーザは表示部１１２に対して視聴状態であると判定された場合、投影画像に対して表示部１１２に近い底辺がもう一方の底辺よりも相対的に短い台形歪みを付与した投影画像を投影させる。より具体的には、図１６を参照して説明する。図１６は、本開示の第２の実施形態の第３の変形例における表示装置１００の表示画像と投影画像とで立体空間を生じさせる例を示す図である。
【０１１２】
まず、表示制御部１１０−２は、表示部１１２にコンテンツを表示させ、投影部１１４にコンテンツを投影させる。例えば、図１６の上図に示したように、表示制御部１１０−２は、表示部１１２に２人の人物が映されたコンテンツを表示させ、投影部１１４に１人の人物が映されたコンテンツを投影させ得る。
【０１１３】
次に、撮像部１０４は、表示部１１２の前方を撮像する。例えば、図１６の上図に示したように、表示装置１００は、表示部１１２の前方を撮像する撮像部１０４を表示部１１２の上部に備え得る。なお、撮像部１０４は、表示部１１２の前方を撮像できる位置であればどこに備えられてもよい。
【０１１４】
次に、判定部１１６は、撮像部１０４の撮像により得られた画像に対して画像処理を行い、表示部１１２を視聴しているユーザが存在するかを判定する。そして、判定部１１６により視聴しているユーザが存在すると判定された場合、表示制御部１１０−２は、投影画像に対して表示部１１２に近い底辺がもう一方の底辺よりも相対的に短い台形歪みを付与し、投影部１１４に台形歪みが付与された画像を投影させる。例えば、図１６の下図に示したように、表示制御部１１０−２は、投影画像を表示部１１２に向かって傾いているように変化させ得る。
【０１１５】
このように、表示装置１００は、ユーザが視聴状態であると判定された場合に、投影画像に対して台形歪みを付与し、台形歪みが付与された画像を投影する。このため、投影画像が表示部１１２に向かって傾くように投影画像に台形歪み処理が行われることにより、ユーザに表示画像と投影画像との間に立体感を生じさせることが可能となる。
【０１１６】
（第４の変形例）
本実施形態の第４の変形例として、表示制御部１１０−２は、投影画像の一部を上下または左右に移動させながら投影部１１４に投影させてもよい。例えば、表示制御部１１０−２は、投影部１１４に投影させるコンテンツの投影位置を一定時間毎に表示部１１２に対して離れる方向に所定の距離だけ移動させ得る。そして、表示制御部１１０−２は、当該コンテンツを所定の回数だけ移動させた後、次は当該コンテンツの投影位置を一定時間毎に表示部１１２に対して近づく方向に所定の距離だけ移動させ得る。そして、表示制御部１１０−２は、当該コンテンツを所定の回数だけ移動させた後、再度、上述したように表示部１１２に離れる方向に当該コンテンツを移動させ得る。
【０１１７】
このように、表示制御部１１０−２は、投影画像のコンテンツを上下または左右に移動させながら投影部１１４に投影させる。このため、投影画像のコンテンツが上下または左右に移動されることにより、ユーザに投影画像のコンテンツが浮いているように認識させることが可能となる。
【０１１８】
（第５の変形例）
本実施形態の第５の変形例として、表示制御部１１０−２は、表示部１１２をデコレーションする画像を投影部１１４に投影させてもよい。具体的には、表示制御部１１０−２は、デコレーション用の画像とデコレーション情報を取得し、デコレーション情報に基づいて投影部１１４にデコレーション用の画像を投影させる。より具体的には、図１７を参照して説明する。図１７は、本開示の第２の実施形態の第５の変形例における表示装置１００の表示部１１２をデコレーションする例を示す図である。
【０１１９】
まず、表示制御部１１０−２は、表示部１１２の電源が切れた状態で、投影部１１４に投影を行わせる。例えば、図１７に示したように、表示制御部１１０−２は、表示部１１２の電源が切れた状態で、投影部１１４に投影を行わせ得る。
【０１２０】
次に、表示制御部１１０−２は、デコレーション画像およびデコレーション情報を取得する。デコレーション情報は、例えば、デコレーション画像の投影位置、向き等を含む情報であり得る。例えば、表示制御部１１０−２は、デコレーション画像である１の耳の画像と対である２の髭の画像、および取得した画像の各々の配置情報を含むデコレーション情報を取得し得る。
【０１２１】
次に、表示制御部１１０−２は、投影部１１４の投影画面の表示部１１２の表示画面に対する位置を判断する。例えば、図１７に示したように、表示制御部１１０−２は、投影画面の位置を表示部１１２の表示面の上後方、左後方、および右後方であると判断する。
【０１２２】
次に、表示制御部１１０−２は、デコレーション情報に基づいてデコレーション画像を配置した投影画像を生成し、生成した画像を投影部１１４に投影させる。例えば、図１７に示したように、表示制御部１１０−２は、耳の画像を表示部１１２の表示面の上後方の投影画面に配置し、髭の画像を表示部１１２の表示面の左後方および右後方の投影画面に配置した投影画像の各々を生成し、投影部１１４に生成した投影画像の各々を投影させ得る。
【０１２３】
このように、表示制御部１１０−２は、表示部１１２をデコレーションする画像をデコレーション情報に基づいて投影部１１４に投影させる。このため、表示部１１２の周辺にデコレーション効果を付与することにより、表示装置１００にインテリアとしての価値を付与することが可能となる。
【０１２４】
＜４．本開示の第３の実施形態＞
［４−１．本開示の第３の実施形態に係る表示装置の構成］
次に、本開示の第３実施形態に係る表示装置１００の構成について説明する。なお、第１および第２の実施形態に係る表示装置１００の構成と実質的に同一である構成については説明を省略する。なお、表示制御部１１０−３は、本開示の第３の実施形態に係る表示制御部１１０である。
【０１２５】
表示制御部１１０−３は、表示部１１２の操作を行うＧＵＩを投影部１１４に投影させる。具体的には、操作検知部１０６がＧＵＩを投影させる操作を検知した場合に、表示制御部１１０−３は、記憶部１０８からＧＵＩの画像を取得し、投影部１１４に取得した画像を投影させる。より具体的には、図１８を参照して説明する。図１８は、本開示の第３の実施形態における表示装置１００の投影部１１４が投影するＧＵＩの操作により表示部１１２の表示が変化する例を示す図である。
【０１２６】
まず、表示制御部１１０−３は、表示部１１２にコンテンツを表示させ、投影部１１４に投影を行わせる。
【０１２７】
次に、操作検知部１０６によりＧＵＩを投影させる操作が行われたことが検知されると、表示制御部１１０−３は、投影画像の表示部１１２との隣接部分に対してエフェクトを付与する。なお、エフェクトの付与処理については、第１の実施形態のエフェクトの付与処理と実質的に同一であるため、詳細な説明は省略する。例えば、表示制御部１１０−３は、図１８の左図に示したようなエフェクトを投影画像に付与する。
【０１２８】
次に、表示制御部１１０−３は、投影部１１４に投影させるＧＵＩを取得し、取得したＧＵＩを投影部１１４に投影させる。例えば、図１８の中図に示したように、表示制御部１１０−３は、記憶部１０８からＧＵＩの画像ｃ１〜ｃ４を取得し、投影部１１４に取得した画像を投影させる。なお、投影画像に付与したエフェクトは、投影部１１４にＧＵＩが投影された後に除去される。
【０１２９】
次に、操作検知部１０６により投影されたＧＵＩに対するユーザ操作を検知されると、表示制御部１１０−３は、表示部１１２の表示を操作が行われたＧＵＩに対応するコンテンツに切り替える。例えば、図１８の右図に示したように、ユーザが投影されたＧＵＩのうちのｃ１を選択する操作を行うと、操作検知部１０６が当該操作を検知し、表示制御部１１０−３は、表示部１１２の表示を操作が行われたＧＵＩに対応する映像Ｃ１に切り替え得る。
【０１３０】
［４−２．本開示の第３の実施形態における表示装置の処理］
次に、図１９を参照して、本開示の第３の実施形態における表示装置１００の処理について説明する。図１９は、本開示の第３の実施形態における表示装置１００の処理を概念的に示すフローチャートである。
【０１３１】
まず、表示装置１００は、ＧＵＩを投影する操作を検知するまで待機する（ステップＳ４０２）。なお、ユーザ操作の検知処理については、第１の実施形態の処理と実質的に同一であるため説明を省略する。
【０１３２】
ステップＳ４０２にて、ＧＵＩを投影する操作を検知した場合、表示制御部１１０−３は、投影画像の表示部１１２との隣接部分にエフェクトを付与する（ステップＳ４０４）。なお、エフェクトの付与処理については、第１の実施形態の処理と実質的に同一であるため、詳細な説明を省略する。
【０１３３】
次に、表示制御部１１０−３は、表示部１１２の表示するコンテンツを操作するＧＵＩを投影部１１４に投影させる（ステップＳ４０６）。具体的には、表示制御部１１０−３は、記憶部１０８に記憶されている表示部１１２の表示するコンテンツを操作するためのＧＵＩの画像を取得し、投影部１１４に取得した画像を投影させる。
【０１３４】
次に、表示装置１００は、ＧＵＩによるコンテンツ選択操作を検知するまで待機する（ステップＳ４０８）。なお、ユーザ操作の検知処理については、第１の実施形態の処理と実質的に同一であるため説明を省略する。
【０１３５】
ステップＳ４０８にて、ＧＵＩによるコンテンツ選択操作を検知した場合、表示制御部１１０−３は、表示部１１２の電源が入っているか否かの判定を行う（ステップＳ４１０）。
【０１３６】
ステップＳ４１０にて、表示部１１２の電源が入っていると判定された場合、表示制御部１１０−３は、選択されたコンテンツに表示を切り替える（ステップＳ４１２）。具体的には、表示制御部１１０−３は、選択操作が行われたＧＵＩに係るコンテンツを記憶部１０８から取得し、表示部１１２の表示を取得したコンテンツに切り替える。
【０１３７】
ステップＳ４１０にて、表示部１１２の電源が入っていないと判定された場合、表示制御部１１０−３は、表示部１１２の電源を入れ（ステップＳ４１４）、選択されたコンテンツを表示させる（ステップＳ４１６）。具体的には、表示制御部１１０−３は、選択操作が行われたＧＵＩに係るコンテンツを記憶部１０８から取得し、表示部１１２に取得したコンテンツを表示させる。
【０１３８】
このように、本開示の第３の実施形態によれば、表示装置１００は、表示部１１２を操作するＧＵＩを投影部１１４に投影させる。このため、表示部１１２のＧＵＩが投影画面に投影されることにより、表示部１１２の視認性を向上させることが可能となる。
【０１３９】
［４−３．本開示の第３の実施形態の変形例］
以上、本開示の第３の実施形態について説明した。なお、本実施形態は、上述の例に限定されない。以下に、本実施形態の第１〜第３の変形例について説明する。
【０１４０】
（第１の変形例）
本実施形態の第１の変形例として、表示制御部１１０−３は、発生するイベント情報に基づいてＧＵＩを投影部１１４に投影させてもよい。具体的には、表示装置１００は、表示装置１００の外部装置と通信を行う通信部１１８をさらに備え、表示制御部１１０−３は、通信部１１８の通信により得られる情報に基づいてＧＵＩを投影部１１４に投影させる。より具体的には、図２０を参照して説明する。図２０は、本開示の第３の実施形態の第１の変形例における表示装置１００のイベント情報に基づいてＧＵＩを投影させる例を示す図である。
【０１４１】
まず、表示制御部１１０−３は、表示部１１２の電源が切れた状態で、投影部１１４に投影を行わせる。例えば、図２０の左図に示したように、表示制御部１１０−３は、表示部１１２の電源が切れた状態で、投影部１１４に投影を行わせ得る。
【０１４２】
次に、表示制御部１１０−３は、イベント情報が発生すると、投影部１１４に投影させるＧＵＩを取得し、取得したＧＵＩを投影部１１４に投影させる。例えば、通信部１１８がネットワークを通じて外部装置からのチャット情報を受信すると、表示制御部１１０−３は、受信したチャット情報に基づいて相手の顔の画像を記憶部１０８から取得し、取得した画像および着信があった旨を知らせる画像を投影部１１４に投影させ得る。
【０１４３】
次に、投影されたＧＵＩに対するユーザの操作が行われると、表示制御部１１０−３は、表示部１１２の電源を入れ、表示部１１２に操作が行われたＧＵＩに係るコンテンツを表示させる。例えば、図２０の右図に示したように、ユーザが投影部１１４により投影されたＧＵＩの画像を選択する操作を行うと、操作検知部１０６は当該操作を検知し、表示制御部１１０−３は、表示部１１２の電源を入れ、表示部１１２に受信したチャット情報に含まれる映像を表示させ得る。
【０１４４】
このように、表示装置１００は、通信部１１８の通信により得られる情報に基づいてＧＵＩを投影部１１４に投影させる。このため、表示装置１００に対する外部装置からの通信に基づくＧＵＩを投影部１１４に自動的に投影させることにより、ユーザは自ら操作することなく通信に気付くことが可能となる。
【０１４５】
（第２の変形例）
本実施形態の第２の変形例として、表示装置１００は、投影部１１４に投影されるＧＵＩによる操作に基づいて表示部１１２の音声は出力したままで、表示部１１２の表示を消してもよい。具体的には、表示装置１００は、音声出力部１２０をさらに備え、表示制御部１１０−３は、操作ＧＵＩによる操作に基づいて表示部１１２の表示を消し、音声出力部１２０は、音声出力を継続する。より具体的には、図２１を参照して説明する。図２１は、本開示の第３の実施形態の第２の変形例における表示装置１００の投影されるＧＵＩの操作による表示部１１２の表示の変化の例を示す図である。
【０１４６】
まず、表示制御部１１０−３は、表示部１１２にコンテンツを表示させ、投影部１１４にコンテンツを投影させる。また、音声出力部１２０は、表示部１１２の表示するコンテンツの音声を出力する。例えば、図２１の左図に示したように、表示制御部１１０−３は、表示部１１２にコンテンツを表示させ、投影部１１４に音楽コンテンツを操作するＧＵＩであるｍ１〜ｍ４を投影し得る。
【０１４７】
次に、投影されるＧＵＩに対するユーザ操作が行われると、表示制御部１１０−３は、表示部１１２の電源を切り、音声出力部１２０は、操作が行われたＧＵＩに対応するコンテンツの音声を出力する。例えば、図２１の右図に示したように、ユーザが投影されているｍ２を選択する操作を行うと、操作検知部１０６は当該操作を検知する。そして、表示制御部１１０−３は、表示部１１２の電源を切り、音声出力部１２０は、選択操作が行われたｍ２に対応する音楽コンテンツの音声を出力する。
【０１４８】
このように、表示装置１００は、投影部１１４に投影されるＧＵＩによる操作を検知し、検知した操作に基づいて表示部１１２の電源を切り、検知した操作に対応する音声を出力させる。このため、ユーザの操作に基づいて音声は出力させたままで自動的に表示部１１２の電源を切ることにより、ユーザに電源を切る操作をさせることなく節電することが可能となる。
【０１４９】
（第３の変形例）
本実施形態の第３の変形例として、表示制御部１１０−３は、投影部１１４に投影されるＧＵＩを表示部１１２に向かう方向に移動させて消した場合、消されたＧＵＩに係るコンテンツに表示部１１２の表示を切り替えてもよい。また、表示制御部１１０−３は、投影部１１４に投影されるＧＵＩを表示部１１２に向かう方向と逆に移動させて消した場合、消されたＧＵＩに係るコンテンツを投影部１１４に投影させてもよい。具体的には、図２２Ａおよび図２２Ｂを参照して説明する。図２２Ａは、本開示の第３の実施形態の第３の変形例における表示装置１００の投影されるＧＵＩの操作による表示部１１２の表示の変化の例を示す図である。図２２Ｂは、本開示の第３の実施形態の第３の変形例における表示装置１００の投影されるＧＵＩの操作による投影部１１４の投影画像の変化の例を示す図である。
【０１５０】
まず、ＧＵＩを表示させるユーザ操作が行われると、表示制御部１１０−３は、投影部１１４の投影画像の表示部１１２との隣接部分にエフェクトを付与し、続いて表示部１１２の表示を操作するＧＵＩを投影させる。例えば、図２２Ａおよび図２２Ｂに示したように、例えば、表示制御部１１０−３は、投影画像と表示画像の各々の隣接部分にエフェクトを付与し、表示部１１２の表示を操作するＧＵＩであるｃ１〜ｃ４を投影部１１４に投影させ得る。
【０１５１】
次に、ユーザが投影部１１４に投影されるＧＵＩを表示部１１２に向かう方向に移動させる操作を行うと、操作検知部１０６は当該操作を検知する。そして、表示制御部１１０−３は、操作検知部１０６の検知結果に基づいて、投影画像上のＧＵＩを表示部１１２に向かう方向に移動させ、投影画像上から消す。例えば、図２２Ａに示したように、ユーザがｃ２を表示部１１２に向かって移動させる操作を行うと、操作検知部１０６は当該操作を検知し、表示制御部１１０−３は、ｃ２を表示部１１２に向かって移動させ、投影画像上から消し得る。
【０１５２】
次に、表示制御部１１０−３は、投影画像上から消されたＧＵＩに係るコンテンツに表示部１１２の表示を切り替える。例えば、図２２Ａに示したように、表示制御部１１０−３は、投影画像上から消されたｃ２に係る映像Ｃ２に表示部１１２の表示を切り替え得る。
【０１５３】
また、ユーザが投影部１１４に投影されるＧＵＩを表示部１１２に向かう方向と逆に移動させる操作を行うと、操作検知部１０６は当該操作を検知する。そして、表示制御部１１０−３は、操作検知部１０６の検知結果に基づいて、投影画像上のＧＵＩを表示部１１２に向かう方向と逆に移動させ、投影画像上から消す。例えば、図２２Ｂに示したように、ユーザがｃ２を投影画像の上部に向かって移動させる操作を行うと、操作検知部１０６は当該操作を検知し、表示制御部１１０−３は、ｃ２を投影画像の上部に向かって移動させ、投影画像上から消し得る。
【０１５４】
次に、表示制御部１１０−３は、投影画像上から消されたＧＵＩに係るコンテンツを投影画像の上部に投影させる。例えば、表示制御部１１０−３は、投影画像上から消されたｃ２に係る映像Ｃ２に投影画像の上部に投影させ得る。
【０１５５】
このように、表示制御部１１０−３は、表示部１１２に向かう方向に移動させて消した投影画像上のＧＵＩに係るコンテンツを表示部１１２に表示させ、表示部１１２に向かう方向と逆に移動させて消した投影部画面上のＧＵＩに係るコンテンツを投影部１１４に投影させる。このため、ユーザの操作する方向に応じた画面にコンテンツを再生させることにより、ユーザは直観的な操作でコンテンツの再生画面を指定することが可能となる。
【０１５６】
＜５．本開示の第４の実施形態＞
［５−１．本開示の第４の実施形態に係る表示装置の構成］
次に、本開示の第４実施形態に係る表示装置１００の構成について説明する。なお、第１〜第３の実施形態に係る表示装置１００の構成と実質的に同一である構成については説明を省略する。なお、表示制御部１１０−４は、本開示の第４の実施形態に係る表示制御部１１０である。
【０１５７】
表示制御部１１０−４は、表示部１１２の表示するコンテンツに関連する情報に基づいて投影部１１４の投影画像を変化させる。具体的には、表示制御部１１０−４は、表示部１１２に表示されるコンテンツのメタ情報に基づいて投影画像を変化させる。例えば、表示制御部１１０−４は、表示部１１２に表示させるコンテンツのメタ情報を取得し、メタ情報に示される情報の格納場所から投影部１１４に投影させる情報を取得する。そして、表示制御部１１０−４は、取得した情報に基づいて投影画像を変化させる。さらに、図２３を参照して詳細に説明する。図２３は、本開示の第４の実施形態における表示装置１００のコンテンツのメタ情報に基づく投影画像の変化の例を示す図である。
【０１５８】
表示制御部１１０−４は、表示部１１２の表示するコンテンツのメタ情報に基づいて生成した画像を投影部１１４に投影させる。例えば、図２３の左図に示したように、表示制御部１１０−４は、表示部１１２の表示する映像Ｃ１のメタ情報に含まれるコンテンツのタイトルに基づいてバナー画像を生成し、投影部１１４に生成したバナー画像を投影させ得る。
【０１５９】
次に、ユーザが投影された画像を選択する操作を行うと、操作検知部１０６は当該操作を検知する。そして、操作検知部１０６の検知結果に基づいて、表示制御部１１０−４は、選択操作が行われた画像に係るメタ情報の示す情報の格納場所にアクセスして、メタ情報に係るコンテンツの情報を取得する。そして、表示制御部１１０−４は、取得したコンテンツの情報を投影部１１４に投影させる。例えば、図２３の右図に示したように、ユーザが投影されたバナー画像を選択する操作を行うと、操作検知部１０６は当該操作を検知し得る。そして、操作検知部１０６の検知結果に基づいて、表示制御部１１０−４は、バナー画像の生成に係るメタ情報に含まれるＵＲＬの示す場所からコンテンツの詳細情報を取得し、取得したコンテンツの詳細情報をバナー画像の上に投影させ得る。
【０１６０】
なお、表示制御部１１０−４は、表示部１１２の表示するコンテンツのメタ情報に含まれるＵＲＬの指すＷｅｂコンテンツを投影部１１４に投影させてもよい。具体的には、図２４を参照して説明する。図２４は、本開示の第４の実施形態における表示装置１００のコンテンツのメタ情報に基づく投影画像の変化の他の例を示す図である。
【０１６１】
表示制御部１１０−４は、表示部１１２にコンテンツを表示させる。例えば、図２４の左図に示したように、表示制御部１１０−４は、表示部１１２にコマーシャル映像を表示させ得る。
【０１６２】
次に、表示制御部１１０−４は、表示部１１２に表示されるコンテンツのメタ情報に含まれるＵＲＬの指すＷｅｂコンテンツを投影部１１４に投影させる。例えば、図２４の右図に示したように、表示制御部１１０−４は、表示部１１２に表示されるコマーシャル映像に係るメタ情報に含まれるＵＲＬの指すＷｅｂ上の広告映像を取得し得る。そして、表示制御部１１０−４は、取得した広告映像を投影部１１４に投影させ得る。
【０１６３】
［５−２．本開示の第４の実施形態における表示装置の処理］
次に、図２５を参照して、本開示の第４の実施形態における表示装置１００の処理について説明する。図２５は、本開示の第４の実施形態における表示装置１００の処理を概念的に示すフローチャートである。
【０１６４】
まず、表示制御部１１０−４は、放送波を取得する（ステップＳ６０２）。例えば、表示制御部１１０−４は、地上デジタル放送等を受信アンテナ、またはネットワークを経由して取得し得る。
【０１６５】
次に、表示制御部１１０−４は、放送波にメタ情報が付随しているかの判定を行う（ステップＳ６０４）。
【０１６６】
ステップＳ６０４にて、放送波にメタ情報が付随していると判定された場合、表示制御部１１０−４は、映像とメタ情報を分離する（ステップＳ６０６）。
【０１６７】
次に、表示制御部１１０−４は、メタ情報のうちの番組タイトルをＧＵＩとして投影する（ステップＳ６０８）。具体的には、分離したメタ情報から映像に係る番組タイトルを  取得し、取得した番組タイトルを基にＧＵＩを生成し、投影部１１４に投影させる。
【０１６８】
なお、ステップＳ６０４にて、放送波にメタ情報が付随していないと判定された場合、ステップＳ６１０に処理が進められる。
【０１６９】
次に、表示制御部１１０−４は、映像を表示する（ステップＳ６１０）。具体的には、表示制御部１１０−４は、取得した放送波の映像を表示部１１２に表示させる。
【０１７０】
次に、表示装置１００は、操作検知部１０６により投影されたＧＵＩに対する選択操作が検知されるまで待機する（ステップＳ６１２）。なお、ユーザ操作の検知処理については、第１の実施形態の処理と実質的に同一であるため説明を省略する。
【０１７１】
ステップＳ６１２にて、投影されたＧＵＩに対する選択操作が検知された場合、表示制御部１１０−４は、メタ情報のＵＲＬを参照してインターネットから情報を取得する（ステップＳ６１４）。具体的には、表示制御部１１０−４は、コンテンツのメタ情報のＵＲＬの示すコンテンツに関連する情報が格納されている場所にインターネットを経由してアクセスし、コンテンツに関連する情報を取得する。
【０１７２】
次に、表示制御部１１０−４は、取得した情報を番組タイトルの上に投影する（ステップＳ６１６）。
【０１７３】
このように、本開示の第４の実施形態によれば、表示装置１００は、表示部１１２に表示されるコンテンツのメタ情報に基づいて投影画像を変化させる。このため、表示画面のコンテンツに関連する情報が投影画面に投影されることにより、表示コンテンツの視認性を損なうことなく表示コンテンツに関連する情報を提示することが可能となる。
【０１７４】
［５−３．本開示の第４の実施形態の変形例］
以上、本開示の第４の実施形態について説明した。なお、本実施形態は、上述の例に限定されない。以下に、本実施形態の第１〜第２の変形例について説明する。
【０１７５】
（第１の変形例）
本実施形態の第１の変形例として、表示制御部１１０−４は、表示部１１２に表示されるコンテンツの付随情報に基づいて投影画像を変化させてもよい。具体的には、図２６を参照して説明する。図２６は、本開示の第４の実施形態の第１の変形例における表示装置１００のコンテンツの付随情報に基づく投影画像の変化の例を示す図である。
【０１７６】
まず、表示制御部１１０−４は、表示部１１２に表示するコンテンツおよびコンテンツの付随情報を取得する。例えば、表示制御部１１０−４は、ＤＶＤドライブ等に格納されたＤＶＤ等から映画の映像を取得するとともに、当該映画の字幕情報を取得し得る。
【０１７７】
次に、表示制御部１１０−４は、表示部１１２に取得したコンテンツを表示させ、コンテンツの付随情報に基づいて投影画像を変化させる。例えば、図２６に示したように、表示制御部１１０−４は、取得した映画の映像を表示部１１２に表示させ、字幕情報に含まれる映像の再生時間に応じて字幕を投影部１１４に投影させ得る。
【０１７８】
このように、表示制御部１１０−４は、表示部１１２に表示されるコンテンツの付随情報に基づいて投影画像を変化させる。このため、表示部１１２の表示コンテンツに係る付随情報に基づく変化を投影させることにより、表示部１１２の表示コンテンツの視認性を向上させることが可能となる。
【０１７９】
（第２の変形例）
本実施形態の第２の変形例として、表示制御部１１０−４は、音声出力に応じて投影画像を変化させてもよい。具体的には、表示装置１００は、音声出力部１２０を備え、表示制御部１１０−４は、音声出力部１２０の出力する音声に応じて、投影画像を変化させる。より具体的には、図２７Ａおよび図２７Ｂを参照して説明する。図２７Ａは、本開示の第４の実施形態の第２の変形例における表示装置１００の音声出力に応じた投影画像の変化の例を示す図である。図２７Ｂは、本開示の第４の実施形態の第２の変形例における表示装置１００の音声出力に応じた投影画像の変化の他の例を示す図である。
【０１８０】
まず、表示制御部１１０−４は、音声出力部１２０が出力する音声に関連するテキスト情報を取得し、表示部１１２の表示面の上後方に投影させる。例えば、図２７Ａに示したように、表示制御部１１０−４は、音声出力部１２０が音声出力を行う音楽のタイトルを記憶部１０８等から取得し、表示部１１２の表示面の上後方に取得した音楽タイトルのテキストを投影させ得る。
【０１８１】
次に、表示制御部１１０−４は、音声出力を行う装置を想起させる画像を記憶部１０８等から取得し、表示部１１２の表示面の左後方および右後方に取得した画像を投影させ、投影する画像を音声出力部１２０の出力する音声に連動して動かす。例えば、図２７Ａに示したように、表示制御部１１０−４は、スピーカの画像を表示部１１２の表示面の左後方および右後方に投影させ、音声出力部１２０の音声出力を行う音楽のリズムに合わせてスピーカの画像の位置を小刻みに動かし得る。
【０１８２】
また、表示装置１００は、音声出力から映像を生成する変換部１２２をさらに備え、表示制御部１１０−４は、変換部１２２の生成する映像を投影部１１４に投影させてもよい。
【０１８３】
まず、表示制御部１１０−４は、音声出力部１２０が出力する音声に係るテキスト情報を取得し、表示部１１２の表示面の上後方に投影させる。例えば、図２７Ｂに示したように、表示制御部１１０−４は、音声出力部１２０が音声出力を行う音楽のタイトルを記憶部１０８等から取得し、表示部１１２の表示面の上後方に取得した音楽タイトルのテキストを投影させ得る。
【０１８４】
次に、変換部１２２は、音声出力部１２０の出力する音声を入力として映像の生成を行う。そして、表示制御部１１０−４は、変換部１２２が生成する映像を取得し、取得した映像をテキスト情報の上に投影させる。例えば、図２７Ｂに示したように、変換部１２２は、音声出力部１２０が音声出力する音声データに基づいてスペクトラムアナライザ等の出力映像を生成し得る。そして、表示制御部１１０−４は、変換部１２２が生成した出力映像を投影部１１４の音楽タイトルの上に投影させ得る。なお、変換部１２２には、既存のソフトウェア等が用いられてもよい。
【０１８５】
このように、表示制御部１１０−４は、音声出力部１２０が音声出力する音声に応じて投影画像を変化させる。このため、投影画像が音声と連動して変化されることにより、ユーザは表示装置１００をオーディオ機器のように利用することが可能となる。
【０１８６】
＜６．本開示の一実施形態に係るハードウェア構成＞
以上、本発明の実施形態を説明した。上述した表示装置１００の処理は、ソフトウェアと、以下に説明する表示装置１００のハードウェアとの協働により実現される。
【０１８７】
図２８は、本開示に係る表示装置１００のハードウェア構成を示した説明図である。図２８に示したように、表示装置１００は、ＣＰＵ（Ｃｅｎｔｒａｌ  Ｐｒｏｃｅｓｓｉｎｇ  Ｕｎｉｔ）１３２と、ＲＯＭ（Ｒｅａｄ  Ｏｎｌｙ  Ｍｅｍｏｒｙ）１３４と、ＲＡＭ（Ｒａｎｄｏｍ  Ａｃｃｅｓｓ  Ｍｅｍｏｒｙ）１３６と、ブリッジ１３８と、バス１４０と、インターフェース１４２と、入力装置１４４と、出力装置１４６と、ストレージ装置１４８と、ドライブ１５０と、接続ポート１５２と、通信装置１５４とを備える。
【０１８８】
ＣＰＵ１３２は、演算処理装置および制御装置として機能し、各種プログラムと協働して表示装置１００内の操作検知部１０６、表示制御部１１０、判定部１１６、および変換部１２２の動作を実現する。また、ＣＰＵ１３２は、マイクロプロセッサであってもよい。ＲＯＭ１３４は、ＣＰＵ１３２が使用するプログラムまたは演算パラメータ等を記憶する。ＲＡＭ１３６は、ＣＰＵ１３２の実行にいて使用するプログラムまたは実行において適宜変化するパラメータ等を一時記憶する。ＲＯＭ１３４およびＲＡＭ１３６により、表示装置１００内の記憶部１０８の一部を実現する。ＣＰＵ１３２、ＲＯＭ１３４およびＲＡＭ１３６は、ＣＰＵバスなどから構成される内部バスにより相互に接続されている。
【０１８９】
入力装置１４４は、マウス、キーボード、タッチパネル、ボタン、マイクロフォン、スイッチおよびレバーなどユーザが情報を入力するための入力手段、および表示装置１００に備えられる撮像部１０４により得られる画像と、およびユーザによる入力に基づいて入力信号を生成し、ＣＰＵ１３２に出力する入力制御回路などから構成されている。表示装置１００のユーザは、入力装置１４４を操作することにより、表示装置１００に対して各種のデータを入力したり処理動作を指示したりすることができる。
【０１９０】
出力装置１４６は、本実施形態にかかる表示装置１００の表示部１１２および投影部１１４の一例として、例えば、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置、プロジェクタおよびランプなどの装置への出力を行う。さらに、出力装置１４６は、本実施形態にかかる音声出力部１２０の一例として、スピーカおよびヘッドフォンなどの音声出力を行ってもよい。
【０１９１】
ストレージ装置１４８は、本実施形態にかかる表示装置１００の記憶部１０８の一例として構成されたデータ格納用の装置である。ストレージ装置１４８は、記憶媒体、記憶媒体にデータを記録する記録装置、記憶媒体からデータを読み出す読出し装置および記憶媒体に記録されたデータを削除する削除装置等を含んでもよい。ストレージ装置１４８は、ＣＰＵ１３２が実行するプログラムや各種データを格納する。
【０１９２】
ドライブ１５０は、記憶媒体用リーダライタであり、表示装置１００に内蔵、あるいは外付けされる。ドライブ１５０は、装着されている磁気ディスク、光ディスク、光磁気ディスク、または半導体メモリ等のリムーバブル記憶媒体に記録されている情報を読み出して、ＲＡＭ１３４に出力する。また、ドライブ１５０は、リムーバブル記憶媒体に情報を書込むこともできる。
【０１９３】
接続ポート１５２は、例えば、表示装置１００の外部の情報処理装置または周辺機器と接続するためのバスである。また、接続ポート１５２は、ＵＳＢ（Ｕｎｉｖｅｒｓａｌ  Ｓｅｒｉａｌ  Ｂｕｓ）であってもよい。
【０１９４】
通信装置１５４は、本実施形態にかかる表示装置１００の受信部１０２および通信部１１８の一例である、例えば、ネットワークに接続するための通信デバイスで構成された通信インターフェースである。また、通信装置１５４は、赤外線通信対応装置であっても、無線ＬＡＮ（Ｌｏｃａｌ  Ａｒｅａ  Ｎｅｔｗｏｒｋ）対応通信装置であっても、ＬＴＥ（Ｌｏｎｇ  Ｔｅｒｍ  Ｅｖｏｌｕｔｉｏｎ）対応通信装置であっても、有線による通信を行うワイヤー通信装置であってもよい。
【０１９５】
＜７．むすび＞
本開示の第１の実施形態によれば、投影画像および表示画像の各々の隣接部分の表示を変化させることにより、ユーザは消えた投影画像の一部が表示部１１２の表示の変化を生じさせていることを直観的に理解することが可能となる。また、本開示の第２の実施形態によれば、関連性のあるコンテンツ同士が近くに表示されることにより、ユーザは隣接するコンテンツには関連があることを直観的に理解することが可能となる。また、本開示の第３の実施形態によれば、表示部１１２のＧＵＩが投影画面に投影されることにより、表示部１１２の視認性を向上させることが可能となる。また、本開示の第４の実施形態によれば、表示画面のコンテンツに関連する情報が投影画面に投影されることにより、表示コンテンツの視認性を損なうことなく表示コンテンツに関連する情報を提示することが可能となる。
【０１９６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１９７】
また、本発明の実施形態による表示装置１００に内蔵されるハードウェアを、上述した実施形態による表示装置１００の各構成と同等の機能を発揮させるためのコンピュータプログラムも作成可能である。また、そのコンピュータプログラムを記憶させた記憶媒体も提供される。
【０１９８】
また、上記の実施形態のフローチャートに示されたステップは、記載された順序に沿って時系列的に行われる処理はもちろん、必ずしも時系列的に処理されなくとも、並列的にまたは個別的に実行される処理をも含む。また時系列的に処理されるステップでも、場合によっては適宜順序を変更することが可能であることは言うまでもない。
【０１９９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２００】
なお、以下のような構成も本開示の技術的範囲に属する。
（１）表示部と、前記表示部の表示面に直交する方向に対して交差する方向で、かつ前記表示面の後方を投影方向とする投影部と、を備える表示装置。
（２）据置き型の表示装置として用いられる、前記（１）に記載の表示装置。
（３）前記表示部の表示画像と前記投影部の投影画像とを連動するように変化させる表示制御部をさらに備える、前記（１）または（２）に記載の表示装置。
（４）前記表示制御部は、前記投影画像の少なくとも一部が、前記表示部に向かう方向に移動して消える場合に、前記表示画像および前記投影画像の各々の隣接部分の少なくとも一部の表示を変化させて、前記表示画像を消えた前記投影画像の少なくとも一部に関連する画像に切り替える、前記（３）に記載の表示装置。
（５）前記表示制御部は、前記投影画像の少なくとも一部が、前記表示部に向かう方向に移動しながら部分的に消えた場合に、前記表示画像を前記投影画像の少なくとも一部に関連する画像に切り替える、前記（３）または（４）に記載の表示装置。
（６）前記表示画像は、前記表示部が表示するコンテンツであり、前記表示制御部は、前記表示部に表示されるコンテンツを切り替える場合に、前記表示部に向かう方向の反対方向に前記投影画像の一部が飛び出すように前記投影画像を変化させる、前記（３）に記載の表示装置。
（７）前記表示画像および前記投影画像は、コンテンツであり、前記表示制御部は、前記表示部に表示されていたコンテンツを前記投影部の投影画面に移動させながら、前記投影部により投影されていたコンテンツを前記表示部の表示画面に移動させる、前記（３）に記載の表示装置。
（８）前記投影部の投影画像に、前記投影画像と前記表示部との一体化を想起させる表示効果を付与する表示制御部をさらに備える、前記（１）または（２）に記載の表示装置。
（９）前記表示制御部は、前記表示部の表示内容に関連する画像が前記表示部と隣接するように前記投影画像を生成する、前記（８）に記載の表示装置。
（１０）前記表示制御部は、前記表示部の表示内容に関連するテキストが、会話を想起させる画像に重畳されるように前記投影画像を生成する、前記（８）に記載の表示装置。
（１１）前記表示部に対するユーザの視聴状況を判定する判定部をさらに備え、前記表示制御部は、前記判定部によりユーザは前記表示部に対して視聴状態であると判定された場合、前記投影画像に対して前記表示部に近い底辺がもう一方の底辺よりも相対的に短い台形歪みを付与した前記投影画像を投影させる、前記（８）に記載の表示装置。
（１２）前記表示制御部は、前記投影画像の一部を上下または左右に移動させながら前記投影部に投影させる、前記（８）に記載の表示装置。
（１３）前記表示部のＧＵＩを前記投影部に投影させる表示制御部をさらに備える、前記（１）または（２）に記載の表示装置。
（１４）前記表示制御部は、発生するイベント情報に基づいて前記ＧＵＩを前記投影部に投影させる、前記（１３）に記載の表示装置。
（１５）音声出力部をさらに備え、前記表示制御部が、前記ＧＵＩによる操作に基づいて前記表示部の表示を消す場合に、前記音声出力部は、音声出力を継続し、前記投影部は、前記音声出力に応じて変化する画像を投影する前記（１３）に記載の表示装置。
（１６）前記表示部の表示内容に関連する情報に基づいて前記投影部の投影画像を変化させる表示制御部をさらに備える、前記（１）または（２）に記載の表示装置。
（１７）前記表示制御部は、前記表示部に表示されるコンテンツのメタ情報に基づいて前記投影画像を変化させる、前記（１６）に記載の表示装置。
（１８）前記表示制御部は、前記表示部に表示されるコンテンツの付随情報に基づいて前記投影画像を変化させる、前記（１６）に記載の表示装置。
（１９）画像を表示することと、前記画像の表示面に直交する方向に対して交差する方向で、かつ前記表示面の後方に画像を投影することと、を含む表示方法。
（２０）画像を表示する表示機能と、前記画像の表示面に直交する方向に対して交差する方向で、かつ前記表示面の後方に画像を投影する投影機能と、をコンピュータに実現させるためのプログラム。
【符号の説明】
【０２０１】
１００    表示装置
１１０    表示制御部
１１２    表示部
１１４    投影部
１１６    判定部
１２０    音声出力部
【図１】
2015099248.tif 000003
【図２】
2015099248.tif 000004
【図３】
2015099248.tif 000005
【図４】
2015099248.tif 000006
【図５】
2015099248.tif 000007
【図６】
2015099248.tif 000008
【図７Ａ】
2015099248.tif 000009
【図７Ｂ】
2015099248.tif 000010
【図８Ａ】
2015099248.tif 000011
【図８Ｂ】
2015099248.tif 000012
【図９】
2015099248.tif 000013
【図１０Ａ】
2015099248.tif 000014
【図１０Ｂ】
2015099248.tif 000015
【図１１】
2015099248.tif 000016
【図１２Ａ】
2015099248.tif 000017
【図１２Ｂ】
2015099248.tif 000018
【図１３】
2015099248.tif 000019
【図１４】
2015099248.tif 000020
【図１５】
2015099248.tif 000021
【図１６】
2015099248.tif 000022
【図１７】
2015099248.tif 000023
【図１８】
2015099248.tif 000024
【図１９】
2015099248.tif 000025
【図２０】
2015099248.tif 000026
【図２１】
2015099248.tif 000027
【図２２Ａ】
2015099248.tif 000028
【図２２Ｂ】
2015099248.tif 000029
【図２３】
2015099248.tif 000030
【図２４】
2015099248.tif 000031
【図２５】
2015099248.tif 000032
【図２６】
2015099248.tif 000033
【図２７Ａ】
2015099248.tif 000034
【図２７Ｂ】
2015099248.tif 000035
【図２８】
2015099248.tif 000036